(57)【特許請求の範囲】
【請求項１】
複数のＬＥＤが配置された各照明基板を照明器具本体内に配設してなる照明器具であって、
前記照明器具本体は、前記各照明基板の設置用に、一面が開口した箱型状の照明基板設置部を有し、
前記各照明基板は、各々が独立して回動自在に、かつ、前記照明基板にＬＥＤを取り付けた面が開口方向に向くように、前記照明基板設置部に取り付けられ、
前記各照明基板は、複数列及び当該各列に複数個、前記照明基板設置部に配設されていることを特徴とする照明器具。
【請求項２】
開口面を、透光性を有するカバーによって塞いでなることを特徴とする請求項１記載の照明器具。
【発明の詳細な説明】
【技術分野】
【０００１】
本願発明は、LEDを配置した照明基板を照明器具本体に取り付けてなる照明器具に関するものである。
【背景技術】
【０００２】
従来から、特開２００３−４５２２３号公報（特許文献１）に示されるように、LEDを配置した照明基板を照明器具本体に複数個回動自在に取り付けてなる照明器具は知られている。この照明器具は図５、図６に示すように、複数のLED１を固定した照明基板２を備え、この照明基板２をフレキシブルワイヤー１１に円状に固定している。これにより、同フレキシブルワイヤー１１を捻ることによって照明基板２、つまりLED１の照射方向を一括して変更できるため、簡単な操作による集光点の変更が可能な照明器具が得られるとされている。
【特許文献１】特開２００３−４５２２３号公報
【発明の開示】
【発明が解決しようとする課題】
【０００３】
しかしながら、特開２００３−４５２２３号公報に示される上記従来例の照明器具にあっては、照明基板２をフレキシブルワイヤー１１に円状に固定し、そのフレキシブルワイヤー１１を捻ることによって複数個の照明基板２を一括して動かす。これによりLED１の照射方向を一括に変更するため、円中央方向にしかLED１の焦点を合わせることができない。
【０００４】
本願発明は上記背景技術に鑑みて発明されたものであり、その課題は、使用者の希望に応じた配光が可能で、用途や状況に合わせて使用することができる照明器具を提供することである。
【課題を解決するための手段】
【０００５】
上記課題を解決するために、本発明では、複数のＬＥＤが配置された各照明基板を照明器具本体内に配設してなる照明器具であって、前記照明器具本体は、前記各照明基板の設置用に、一面が開口した箱型状の照明基板設置部を有し、前記各照明基板は、各々が独立して回動自在に、かつ、前記照明基板にＬＥＤを取り付けた面が開口方向に向くように、前記照明基板設置部に取り付けられ、前記各照明基板は、複数列及び当該各列に複数個、前記照明基板設置部に配設されていることを特徴とする。
【０００８】
又、本発明では、開口面を、透光性を有するカバーによって塞いでなることを特徴としている。
【発明の効果】
【０００９】
本発明では、各照明基板が個々に回動されるようになして、その回動軸が相互に平行になるよう複数列に取り付けられているため、各照明基板を回動させることで状況に合わせた配光にすることができる。例えば、全ての照明基板の目的対象を合わせることで侠角配光が得られスポット照明が可能になったり、各照明基板の照射方向を変えることで中角配光や広角配光が得られワイド照明が可能なったり、する。
【００１０】
また、本発明では、特に、各列に照明基板が複数個あるため、より細かい配光の調整が可能となる。これにより、より幅広い状況に対応できる配光が可能となる。
【００１１】
また、本発明では、特に、照明基板を照明器具本体内に収まるように取り付けているため、照明基板や照明基板に配置されたLEDを開口方向以外の外部からの衝撃に強くすることができる。又、照明基板のLEDを取り付けた面を開口方向に向くように取り付けているため、開口方向に対して照射することができる。
【００１２】
また、本発明では、特に、前記開口面をカバーによって塞いでなるため、照明基板や照明基板に配置されたLEDを開口方向からの衝撃に強くすることができる。又、透光性を有するカバーを用いているため、照明が遮断されることなく使用者の望む方向に対して照射できる。
【発明を実施するための最良の形態】
【００１３】
以下、本願発明を添付図面に示す実施形態に基づいて説明する。
【００１４】
図１〜４は、本発明の一実施形態である照明器具を示している。
【００１５】
この照明器具は、図１〜４に示すように、複数のLED１を配置した照明基板２を照明器具本体３に複数個回動自在に取り付けてなる照明器具において、各照明基板２が個々に回動されるようになして、その回動軸が相互に平行になるよう複数列に取り付けられてなる。そして、各列に取り付けられている照明基板２が複数個あり、箱型状の照明器具本体３の一面に開口面を設け、照明基板２が照明器具本体３内に収まっていて、照明基板２のLED１を取り付けた面が開口方向に向くように取り付けられていて、開口面を、透光性を有するカバー４によって塞いでいる。
【００１６】
以下、この照明器具をより具体的詳細に説明する。図１〜４に示すように、この照明器具は、照明器具本体３と、照明基板２と、LED１と、カバー４と、によって構成される。
【００１７】
照明器具本体３は箱型状であり、プラスチック等からなる。この照明器具本体３は照明基板２やカバー４が取り付けられ、照明基板２を支持するための基体となる。照明器具本体３の一面には開口面が設けられ、長手方向端部には支持部５が設けられている。この支持部５を固定することにより照明器具本体３を確実に支持することができる。
【００１８】
照明器具本体３内の開口面に対向する面には複数の基板支持体６が設けられている。この基板支持体６は長方形状であり、金属等からなる。基板支持体６はネジ等（図示せず）により、照明器具本体３に固定される。そして、長手方向両端には基板支持部７ａがそれぞれ設けられている。この基板支持部７ａには照明基板２を回動自在に取り付けるための、ネジ穴である取付け穴８ａが設けられている。この基板支持体６は回動軸が相互に平行になるよう複数列に取り付けられている。なお、各列は相互に一定の間隔を空けて設置する。
【００１９】
照明基板２は長方形状であり、プラスチック等からなる。この照明基板２は光源を設置するための基板である。照明基板２の長手方向両端には基板支持部７ｂがそれぞれ設けられている。この基板支持部７ｂには照明基板２を回動自在に取り付けるための、ネジ穴である取付け穴８ｂが設けられている。照明基板２は、照明器具本体３に回動自在に設けられると共に適当な摩擦で支持されるように、各基板支持体６にそれぞれ取り付けられる。具体的には、取付け穴８ａと取付け穴８ｂとを、ワッシャー１０を介在させ、ネジ等の固定具９によって結合させることにより、基板支持部７ｂを基板支持部７ａに、回動自在に取り付ける。この照明基板２は各基板支持体６にそれぞれ設けられる。各基板支持体６に照明基板２を取り付けるのは、ネジ等の固定具９によって固定するだけなので、これにより、照明基板２を容易に設置することができる。又、照明基板２は適当な摩擦で支持されているので、確実かつ安定して任意の位置で固定することができる。
【００２０】
LED１は照明基板２の一面に複数配置されている。このLED１は照明器具の照明用の光源である。
【００２１】
この照明器具は、各列に取り付けられている基板支持体６と照明基板２とが複数個ある。各基板支持体６と照明基板２とは、それぞれ一定の間隔を空けて設置する。
【００２２】
照明基板２が照明器具本体３内に収まっていて、照明基板２のLED１を取り付けた面が開口方向に向くように取り付けられている。
【００２３】
この開口面はカバー４によって塞がれている。このカバー４はプラスチック等からなり、透光性を有する。カバー４は開口面とほぼ同等の大きさ、形状を有する。
【００２４】
したがって、この実施形態の照明器具においては、各照明基板２が個々に回動されるようになして、その回動軸が相互に平行になるよう複数列に取り付けられているため、各照明基板２を回動させることで状況に合わせた配光にすることができる。例えば、全ての照明基板２の目的対象を合わせることで侠角配光が得られスポット照明が可能になったり、各照明基板２の照射方向を変えることで中角配光や広角配光が得られワイド照明が可能になったりする。
【００２５】
又、各列に照明基板２を複数個取り付けているので、より細かい配光の調整が可能となる。これにより、より幅広い状況に対応できる配光が可能となる。更に、これにより光量も強くなる。又、各列の各照明基板２は相互に一定の間隔を空けて設置しているので、各照明基板２が相互にぶつかったりすることもない。
【００２６】
又、照明基板２を照明器具本体３内に収まるように取り付けているため、照明基板２や照明基板２に配置されたLED１を開口方向以外の外部からの衝撃に強くすることができる。又、照明基板２のLED１を取り付けた面を開口方向に向くように取り付けているため、開口方向に対して照射することができる。
【００２７】
又、前記開口面をカバー４によって塞いでなるため、照明基板２や照明基板２に配置されたLED１を開口方向からの衝撃に強くすることができる。又、透光性を有するカバー４を用いているため、照明が遮断されることなく使用者の望む方向に対して照射できる。
【図面の簡単な説明】
【００２８】
【図１】本願発明の一実施形態である照明器具を示す斜視図。
【図２】同照明器具の照明基板を示す斜視図。
【図３】同照明器具の照明基板の支持状態を示す分解斜視図。
【図４】同照明器具の照明基板の支持状態を示す縦断面図。
【図５】従来例である照明器具の照明基板を示す斜視図。
【図６】同照明器具の（ａ）は側面図、（ｂ）は底面図。
【符号の説明】
【００２９】
１  LED
２  照明基板
３  照明器具本体
４  カバー
５  支持部
６  基板支持体
７（７ａ、７ｂ）  基板支持部
８（８ａ、８ｂ）  取付け穴
９  固定具
１０  ワッシャー
【図１】
0004548303.tif 000002
【図２】
0004548303.tif 000003
【図３】
0004548303.tif 000004
【図４】
0004548303.tif 000005
【図５】
0004548303.tif 000006
【図６】
0004548303.tif 000007